(57)【要約】      （修正有）【課題】ねじ穴の長さを確保しながら、筐体における取付部の厚さの増大を抑制することが可能なコネクタの取付構造及びコネクタ装置を提供する。【解決手段】取付孔が形成された取付部７１を有する筐体と、筐体の内部から取付部に挿入される第１及び第２機器側ボルト１４，１５によって固定される雄コネクタと、筐体の外部から取付部に第１及び第２機器側ボルトの挿入方向に平行な方向に挿入されるケーブル側ボルト１３によって固定される雌コネクタとを備え、取付部は、第１及び第２機器側ボルトを挿入するための第１及び第２機器側ねじ穴７０２と、ケーブル側ボルトを挿入するためのケーブル側ねじ穴７１１とが形成され、第１及び第２機器側ボルトとケーブル側ボルトとは、第１及び第２機器側ねじ穴７０２及びケーブル側ねじ穴の並び方向に沿って雄コネクタ及び雌コネクタの嵌合方向に直交する方向から見て少なくとも一部が重なっているコネクタの取付構造。【選択図】図１Ｂ
2014154256.tif 000002
【特許請求の範囲】
【請求項１】
取付孔が形成された取付部を有する筐体と、
前記筐体の内部から前記取付部に挿入される第１ボルトによって固定される第１コネクタと、
前記筐体の外部から前記取付部に前記第１ボルトの挿入方向に平行な方向に挿入される第２ボルトによって固定される第２コネクタとを備え、
前記取付部には、前記筐体の内部側に開口を有し、前記第１ボルトを挿入するための第１ねじ穴と、前記筐体の外部側に開口を有し、前記第２ボルトを挿入するための第２ねじ穴とが形成され、
前記取付部において、前記第１ねじ穴と第２ねじ穴とは、前記第１ねじ穴及び前記第２ねじ穴の並び方向に沿って前記第１コネクタ及び前記第２コネクタの嵌合方向に直交する方向から見て、少なくとも一部が重なっている、
コネクタの取付構造。
【請求項２】
前記第２コネクタは、１本の前記第２ボルトによって固定され、
前記取付部には、前記１本の第２ボルトが挿入される１つの前記第２ねじ穴が形成されている、
請求項１に記載のコネクタの取付構造。
【請求項３】
前記第１コネクタは、複数の前記第１ボルトによって固定され、
前記取付部には、前記複数の第１ボルトが挿入される複数の前記第１ねじ穴が形成され、
前記複数の第１ねじ穴及び前記１つの第２ねじ穴に交差して前記嵌合方向に直交する仮想平面において、前記１つの第２ねじ穴が、前記複数の第１ねじ穴の間の領域内に交差する、
請求項２に記載のコネクタの取付構造。
【請求項４】
前記筐体は、前記取付部がその周辺よりも肉厚に形成された、
請求項１乃至３の何れか１項に記載のコネクタの取付構造。
【請求項５】
筐体に設けられた取付孔に取り付けられるコネクタ装置であって、
複数の第１ボルトによって、前記取付孔に前記筐体の内部から固定された第１コネクタと、
前記複数の第１ボルトの挿入方向に平行な方向に挿入される１本の第２ボルトによって、前記取付孔に前記筐体の外部から固定される第２コネクタとを備え、
前記第１コネクタは、
前記取付孔の第１開口端面に接触する第１接触面を有し、かつ前記複数の第１ボルトを挿通させる複数の第１挿通孔が形成された第１フランジ部を有し、
前記第２コネクタは、
前記取付孔の第２開口端面に接触する第２接触面を有し、かつ前記１本の第２ボルトを挿通させる１つの第２挿通孔が形成された第２フランジ部を有し、
前記１つの第２挿通孔は、前記第１及び第２コネクタの嵌合方向から見て、前記複数の第１挿通孔の間の領域内に交差する、
コネクタ装置。
【発明の詳細な説明】
【技術分野】
【０００１】
本発明は、筐体に取り付けて用いられるコネクタの筐体への取付構造と、コネクタ装置に関する。
【背景技術】
【０００２】
従来、電磁波を遮蔽可能な導電性金属からなる筐体を有する電気機器に接続された機器側コネクタと、機器側コネクタに接続されるケーブル側コネクタとを備えたコネクタ装置として、ボルトを用いて筐体に固定される取付構造を備えたものが知られている（例えば、特許文献１参照）。
【０００３】
特許文献１に記載のコネクタ装置は、電線側コネクタと機器側コネクタとを備えている。機器側コネクタは、例えば自動車用のインバータ等の機器と一体に形成され、機器本体を収容する機器側ケース（筐体）を備えている。機器側コネクタは、端子が収容される端子ホルダに形成された板状の取付部によって機器側ケースに取り付けられる。取付部には、機器側ケースに取り付けるための２本のボルトを挿通させるねじ穴が形成されている。この２本のボルトは、機器側ケースの開口端面に対して垂直な方向から締め付けられ、機器側コネクタが機器側ケースに固定される。
【０００４】
一方、電線側コネクタは、機器側ケースの他方の開口端面に向かって直角に折り曲げられた板状の取付部によって機器側ケースに取り付けられる。機器側コネクタと同様に、取付部には、機器側ケースに取り付けるための２本のボルトを挿通させるねじ穴が形成されている。この２本のボルトは、機器側ケースの開口端面に対して平行な方向から締め付けられ、電線側コネクタが機器側ケースに固定される。つまり、機器側コネクタを固定するボルトの挿入方向と、電線側コネクタを固定するボルトの挿入方向とは、互いに直交している。
【先行技術文献】
【特許文献】
【０００５】
【特許文献１】特開２０１２−３８５５７号公報
【発明の概要】
【発明が解決しようとする課題】
【０００６】
しかし、特許文献１に記載のものでは、機器側コネクタは、機器側ケースの開口端面に対して垂直な方向から挿入されて締め付けられるため、ねじ穴の長さを十分に確保できない。ねじ穴の長さを長くしようとした場合、機器側ケースの厚みが厚くなってしまう。また、電線側コネクタは、機器側ケースの開口端面に対して平行な方向から挿入されて締め付けられるため、機器側ケースはボルトの太さ分の厚みが必要になってしまう。
【０００７】
そこで、本発明の目的は、ねじ穴の長さを確保しながら、筐体における取付部の厚さの増大を抑制することが可能なコネクタの取付構造及びコネクタ装置を提供することにある。
【課題を解決するための手段】
【０００８】
本発明は、上記課題を解決することを目的として、取付孔が形成された取付部を有する筐体と、前記筐体の内部から前記取付部に挿入される第１ボルトによって固定される第１コネクタと、前記筐体の外部から前記取付部に前記第１ボルトの挿入方向に平行な方向に挿入される第２ボルトによって固定される第２コネクタとを備え、前記取付部には、前記筐体の内部側に開口を有し、前記第１ボルトを挿入するための第１ねじ穴と、前記筐体の外部側に開口を有し、前記第２ボルトを挿入するための第２ねじ穴とが形成され、前記取付部において、前記第１ねじ穴と第２ねじ穴とは、前記第１ねじ穴及び前記第２ねじ穴の並び方向に沿って前記第１コネクタ及び前記第２コネクタの嵌合方向に直交する方向から見て、少なくとも一部が重なっているコネクタの取付構造を提供する。
【０００９】
また、上記課題を解決することを目的として、筐体に設けられた取付孔に取り付けられるコネクタ装置であって、複数の第１ボルトによって、前記取付孔に前記筐体の内部から固定された第１コネクタと、前記複数の第１ボルトの挿入方向に平行な方向に挿入される１本の第２ボルトによって、前記取付孔に前記筐体の外部から固定される第２コネクタとを備え、前記第１コネクタは、前記取付孔の第１開口端面に接触する第１接触面を有し、かつ前記複数の第１ボルトを挿通させる複数の第１挿通孔が形成された第１フランジ部を有し、前記第２コネクタは、前記取付孔の第２開口端面に接触する第２接触面を有し、かつ前記１本の第２ボルトを挿通させる１つの第２挿通孔が形成された第２フランジ部を有し、前記１つの第２挿通孔は、前記第１及び第２コネクタの嵌合方向から見て、前記複数の第１挿通孔の間の領域内に交差するコネクタ装置を提供する。
【発明の効果】
【００１０】
本発明に係るコネクタの取付構造及びコネクタ装置によれば、ねじ穴の長さを確保しながら、筐体における取付部の厚さの増大を抑制することが可能である。
【図面の簡単な説明】
【００１１】
【図１Ａ】本発明の実施の形態に係るコネクタ装置の構成例を筐体の一部と共に示す斜視図である。
【図１Ｂ】コネクタ装置及び筐体の一部を示し、（ａ）は上面図、（ｂ）は側面図である。
【図２】雌コネクタと雄コネクタとが筐体を介して嵌合した状態を示す、図１ＡのＡ−Ａ線断面図である。
【図３】雌コネクタの構成例を示す斜視図である。
【図４】雄コネクタの構成例を示し、（ａ）は筐体側から見た斜視図、（ｂ）は基板側から見た斜視図である。
【図５】筐体の構成例を示し、（ａ）は雌コネクタ側から見た斜視図、（ｂ）は雄コネクタ側から見た斜視図である。
【図６】図１Ｂ（ａ）のＢ−Ｂ線断面を含む仮想平面における筐体を模式的に示す模式図である。
【発明を実施するための形態】
【００１２】
［実施の形態］
図１Ａは、本発明の実施の形態に係るコネクタ装置の構成例を筐体の一部と共に示す斜視図である。
【００１３】
（コネクタ装置１の全体構成）
このコネクタ装置１は、第２コネクタとしての雌コネクタ１１及び第１コネクタとしての雄コネクタ１２から構成されている。雌コネクタ１１は筐体７の外部に配置され、雄コネクタ１２は筐体７の内部に配置されている。筐体７には、板状の壁部７０の一部にコネクタ装置１を取り付けるための取付部７１が形成されている。この筐体７は、例えばモータにスイッチングされた電流を供給するインバータのケースである。
【００１４】
雌コネクタ１１は、本体部１１０及びフランジ部１１１を有している。本体部１１０には、例えば筐体７内の機器に電源を供給するための第１のケーブル６１及び第２のケーブル６２を挿通させる挿通孔が形成されている。雌コネクタ１１は、フランジ部１１１を挿通する第２ボルトとしてのケーブル側ボルト１３によって筐体７の取付部７１に固定されている。一方、雄コネクタ１２は、複数（本実施の形態では２本）の第１ボルトとしての第１機器側ボルト１４及び第２機器側ボルト１５によって取付部７１の壁部７０側に固定されている。
【００１５】
図１Ｂは、コネクタ装置１及び筐体７の一部を示し、（ａ）は上面図、（ｂ）は側面図である。なお、ケーブル側ボルト１３、第１機器側ボルト１４、及び第２機器側ボルト１５のそれぞれの軸部分を破線で示している。
【００１６】
図１Ｂに示すように、ケーブル側ボルト１３、第１機器側ボルト１４、及び第２機器側ボルト１５は、互いに平行であり、雌コネクタ１１及び雄コネクタ１２の嵌合方向に平行な方向に挿入される。第１機器側ボルト１４と第２機器側ボルト１５とは同方向に挿入され、第１機器側ボルト１４及び第２機器側ボルト１５とケーブル側ボルト１３とは逆向きに挿入される。
【００１７】
筐体７の取付部７１には、筐体７の内部側に開口を有し、第１機器側ボルト１４を挿入するための第１機器側ねじ穴７０１、筐体７の内部側に開口を有し、第２機器側ボルト１５を挿入するための第２機器側ねじ穴７０２、及び筐体７の外部側に開口を有し、ケーブル側ボルト１３を挿入するためのケーブル側ねじ穴７１１が、それぞれ形成されている。
【００１８】
ケーブル側ねじ穴７１１、第１機器側ねじ穴７０１、及び第２機器側ねじ穴７０２は、互いにかつ雌コネクタ１１及び雄コネクタ１２の嵌合方向に平行な方向に延びて形成されている。
【００１９】
筐体７の取付部７１において、ケーブル側ねじ穴７１１、第１機器側ねじ穴７０１、及び第２機器側ねじ穴７０２は、雌コネクタ１１及び雄コネクタ１２の嵌合方向に直交する方向から見て少なくとも一部が重なっている。
【００２０】
図２は、雌コネクタ１１と雄コネクタ１２とが筐体７を介して嵌合した状態を示す、図１ＡのＡ−Ａ線断面図である。図３は、雌コネクタ１１の構成例を示す斜視図である。
【００２１】
（雌コネクタ１１の構成）
雌コネクタ１１は、第１雌端子３１及び第２雌端子３２と、雌側ハウジング２０とを備えている。第１雌端子３１は、後述する第１雄端子５１が嵌合される直方体形状の本体部３１１と、第１のケーブル６１の導体６１０を加締める加締部３１２とを一体に有している。同様に、第２雌端子３２は、後述する第２雄端子５２が嵌合される直方体形状の本体部３２１と、第２のケーブル６２の導体６２０を加締める加締部３２２とを一体に有している。
【００２２】
雌側ハウジング２０は、互いに連結された第１乃至第４ハウジング部材２１〜２４から構成されている。第１ハウジング部材２１は、アルミニウム等の金属からなり、筐体７の取付部７１に形成された取付孔７１０に嵌合される嵌合部２１０と、フランジ部２１１（図１Ａにおけるフランジ部１１１）とを一体に有している。嵌合部２１０の一端には凹部２１０ａが形成され、この凹部２１０ａに環状のシール部材２６が配置されている。シール部材２６は、嵌合部２１０と、筐体７の取付孔７１０の内面７１０ａとの間をシールする。
【００２３】
図３に示すように、フランジ部２１１（１１１）は、筐体７の取付孔７１０の第２開口端面としての開口端面７１０ｂに面接触する第２接触面としての平面状の接触面２１１ａを有している。フランジ部２１１（１１１）には、雌コネクタ１１を取付孔７１０に固定するための１本のケーブル側ボルト１３を挿通させる１つのケーブル側挿通孔１３０が形成されている。なお、雌コネクタ１１の出荷時にケーブル側ボルト１３を予め仮保持しておくことにより、組み付け作業が容易になる。
【００２４】
フランジ部２１１（１１１）の外縁は、五角形の角が取れ、丸みを帯びた形状を有している。より具体的には、一対の斜辺Ｓ１，Ｓ２と、一対の対辺Ｓ３，Ｓ５と、底辺Ｓ４から構成されている。以下、フランジ部２１１（１１１）の外縁が五角形であるものとしてその形状を説明する。
【００２５】
一対の対辺Ｓ３，Ｓ５は、互いに平行であり、後述する第３ハウジング部材２３及び第４ハウジング部材２４を挟んで対向している。図３では、奥側が対辺Ｓ３であり、手前側が対辺Ｓ５である。底辺Ｓ４は、一対の対辺Ｓ３，Ｓ５を連結している。斜辺Ｓ１は、対辺Ｓ５の一端からケーブル側挿通孔１３０に向かって斜めに延びている。斜辺Ｓ２は、対辺Ｓ３の一端からケーブル側挿通孔１３０に向かって斜めに延びている。斜辺Ｓ１と斜辺Ｓ２とは、互いに交わっている。なお、斜辺Ｓ１と対辺Ｓ５のなす角及び斜辺Ｓ２と対辺Ｓ３のなす角は、鈍角である。
【００２６】
第２ハウジング部材２２は、樹脂からなり、一対の端子保持部２２１と、端子保持部２２１の外方に突出する鍔部２２２と、第１ハウジング部材２１の嵌合部２１０に内嵌された連結部２２３とを一体に有している。一対の端子保持部２２１は、第１雌端子３１及び第２雌端子３２をそれぞれ保持し、連結部２２３によって第１ハウジング部材２１に連結されている。鍔部２２２は、一対の端子保持部２２１と連結部２２３との間から筐体７の取付孔７１０の内面７１０ａに向かって突出し、シール部材２６を抜け止めしている。
【００２７】
第３ハウジング部材２３は、アルミニウム等の金属からなる筒状の部材であり、その軸方向における第１雌端子３１側の端部である基端部２３１が第１ハウジング部材２１に形成された第１嵌合穴２１ａに圧入により嵌合されている。第３ハウジング部材２３には、第１のケーブル６１を挿通させ、第１のケーブル６１の延伸方向に延びる第１の挿通孔２３０が形成されている。
【００２８】
第１のケーブル６１は、導体６１０と、導体６１０を被覆する絶縁被覆６１１と、絶縁被覆６１１の外周に形成された編組シールド６１２と、編組シールド６１２を絶縁するシース６１３とからなる。編組シールド６１２は、その端部がシース６１３から露出して第１雌端子３１の反対側に折り返され、シース６１３の外側にてフェルール２３３によって加締められている。
【００２９】
第３ハウジング部材２３の先端部２３２（第１雌端子３１の反対側の端部）における第１の挿通孔２３０の内部には、パッキン２５３が設けられ、第１のケーブル６１と第３ハウジング部材２３との間がシールされている。さらに、第１の挿通孔２３０から導出された第１のケーブル６１の外面及び第３ハウジング部材２３の先端部２３２の外面は、熱収縮性を有するチューブ２５１によって覆われている。
【００３０】
第４ハウジング部材２４は、アルミニウム等の金属からなる筒状の部材であり、その軸方向における第２雌端子３２側の端部である基端部２４１が第１ハウジング部材２１に形成された第２嵌合穴２１ｂに圧入により嵌合されている。第４ハウジング部材２４は、第３ハウジング部材２３と同様の構成からなる。つまり、第４ハウジング部材２４には、第２のケーブル６２を挿通させ、第２のケーブル６２の延伸方向に延びる第２の挿通孔２４０が形成されている。
【００３１】
第２のケーブル６２は、導体６２０と、導体６２０を被覆する絶縁被覆６２１と、絶縁被覆６２１の外周に形成された編組シールド６２２と、編組シールド６２２を絶縁するシース６２３とからなる。編組シールド６２２は、その端部がシース６２３から露出して第２雌端子３２の反対側に折り返され、シース６２３の外側にてフェルール２４３によって加締められている。
【００３２】
第４ハウジング部材２４の先端部２４２（第２雌端子３２の反対側の端部）における第２の挿通孔２４０の内部には、パッキン２５４が設けられ、第２のケーブル６２と第４ハウジング部材２４との間がシールされている。さらに、第２の挿通孔２４０から導出された第２のケーブル６２の外面及び第４ハウジング部材２４の先端部２４２の外面は、熱収縮性を有するチューブ２５２によって覆われている。
【００３３】
（雄コネクタ１２の構成）
本実施の形態では、雄コネクタ１２は、第１雄端子５１及び第２雄端子５２と、雄側ハウジング４０とを備えている。
【００３４】
第１雄端子５１は、第１雌端子３１の本体部３１１に嵌合される板状の接続部５１１と、機器側の基板８に接続されるリード部５１３と、接続部５１１及びリード部５１３を連結する連結部５１２とを一体に有している。
【００３５】
第２雄端子５２は、第１雄端子５１と同様に、第２雌端子３２の本体部３２１に嵌合される板状の接続部５２１と、基板８に接続されるリード部５２３と、接続部５２１及びリード部５２３を連結する連結部５２２とを一体に有している。
【００３６】
図４は、雄コネクタ１２の構成例を示し、（ａ）は筐体７側から見た斜視図、（ｂ）は基板８側から見た斜視図である。
【００３７】
雄側ハウジング４０は、本体部４００と、第１雄端子５１及び第２雄端子５２を収容する一対の端子収容部４０１と、筐体７の壁部７０に接触する接触面４０２ａを有するフランジ部４０２とから構成されている。
【００３８】
フランジ部４０２は、取付孔７１０の開口端面７１０ｂの反対側における第１開口端面としての開口端面７１０ｃ（図５参照）に面接触する第１接触面としての平面状の接触面４０２ａを有している。また、第１機器側ボルト１４を挿通させる第１機器側挿通孔１４０、及び第２機器側ボルト１５を挿通させる第２機器側挿通孔１５０が形成されている。
【００３９】
雄側ハウジング４０の本体部４００及びフランジ部４０２には、雌側ハウジング２０の一対の端子保持部２２１を収容する一対の収容孔４０５が連続して形成されている。
【００４０】
フランジ部４０２における一対の収容孔４０５の開口４０５ａは、四隅が丸みを帯びた長方形状に形成されている。フランジ部４０２には、筐体７の壁部７０に固定するための第１及び第２機器側ボルト１４，１５を挿通させるための第１及び第２機器側挿通孔１４０，１５０が形成されている。また、筐体７の取付孔７１０に嵌合される嵌合部４０３が、フランジ部４０２の接触面４０２ａから筐体７の取付孔７１０に向かって突出するように形成されている。
【００４１】
嵌合部４０３は、一対の収容孔４０５の開口４０５ａの外縁を囲むようにして形成されている。また、嵌合部４０３の外縁には、雌コネクタ１１と雄コネクタ１２との嵌合方向に垂直な方向に向かって突出する複数の突起部４０３ａが形成されている。本実施の形態では、複数の突起部４０３ａは、８つの突起部４０３ａが、一対の収容孔４０５の並び方向に沿って開口４０５ａを挟むように上下に４つずつ配置され、２つの突起部４０３ａが、一対の収容孔４０５の並び方向に開口４０５ａを挟んで左右に１つずつ配置されている。第１機器側挿通孔１４０及び第２機器側挿通孔１５０は、図４（ａ）において、嵌合部４０３の上側に形成されている。
【００４２】
フランジ部４０２の外縁は、円弧Ｃ１，Ｃ２、斜辺Ｃ３，Ｃ７、一対の対辺Ｃ４，Ｃ６、底辺Ｃ５によって構成されている。より具体的には、一対の対辺Ｃ４，Ｃ６は互いに平行であり、収容孔４０５の開口４０５ａをその並び方向に挟んで対向している。底辺Ｃ５は、収容孔４０５の開口４０５ａをその並び方向に平行であり、一対の対辺Ｃ４，Ｃ６に向かって円弧状に延びている。斜辺Ｃ３は、対辺Ｃ４の一端から第１機器側挿通孔１４０に向かって斜めに延びている。斜辺Ｃ７は、対辺Ｃ６の一端から第２機器側挿通孔１５０に向かって斜めに延びている。円弧Ｃ１は、斜辺Ｃ７の他端から第２機器側挿通孔１５０の外周に沿うように円弧を描いている。円弧Ｃ２は、斜辺Ｃ３の他端から第１機器側挿通孔１４０の外周に沿うように円弧Ｃ１から連続して円弧を描いている。
【００４３】
第１機器側挿通孔１４０の内周には、金属製のカラー１４０ａが設けられ、第２機器側挿通孔１５０の内周には、金属製のカラー１５０ａが設けられている。このカラー１４０ａ，１５０ａと、第１雄端子５１及び第２雄端子５２とは、例えばインサート成形により形成されている。なお、雄コネクタ１２の出荷時に第１機器側ボルト１４及び第２機器側ボルト１５を予め仮保持しておくことにより、組み付け作業が容易になる。
【００４４】
図５は、筐体７の構成例を示し、（ａ）は雌コネクタ１１側から見た斜視図、（ｂ）は雄コネクタ１２側から見た斜視図である。
【００４５】
（筐体７の構成）
本実施の形態において、筐体７は、取付部７１がその周辺よりも肉厚に形成されている。具体的には、取付部７１は、その厚み（雌コネクタ１１及び雄コネクタ１２の嵌合方向の寸法）が壁部７０の厚みよりも厚い。図５（ａ）に示すように、取付部７１は、雌コネクタ１１の配置方向（筐体７の外部側）に突出するように形成されている。取付部７１に形成された取付孔７１０は、四隅が丸みを帯びた長方形状をなしている。
【００４６】
また、取付部７１には、開口端面７１０ｃに開口７０１ａを有する第１機器側ねじ穴７０１、開口端面７１０ｃに開口７０２ａを有する第２機器側ねじ穴７０２、及び開口端面７１０ｂに開口７１１ａを有するケーブル側ねじ穴７１１が形成されている。
【００４７】
図６は、図１Ｂ（ａ）のＢ−Ｂ線断面を含む仮想平面Ｉにおける筐体７を模式的に示す模式図である。
【００４８】
図６における仮想平面Ｉとは、第１機器側ねじ穴７０１、第２機器側ねじ穴７０２、及びケーブル側ねじ穴７１１に交差して雌コネクタ１１及び雄コネクタ１２の嵌合方向に直交する平面である。この平面は、嵌合方向に直交する方向から見たときに、第１機器側ねじ穴７０１、第２機器側ねじ穴７０２、及びケーブル側ねじ穴７１１が重なっている領域を含んでいる。
【００４９】
この仮想平面Ｉにおいて、ケーブル側ねじ穴７１１が、第１機器側ねじ穴７０１と第２機器側ねじ穴７０２との間の領域Ｔ内に交差している。本実施の形態では、ケーブル側ねじ穴７１１は、領域Ｔ内に配置され、第１機器側ねじ穴７０１、第２機器側ねじ穴７０２、及びケーブル側ねじ穴７１１は、一直線に並んでいる。
【００５０】
（コネクタ装置１の取付手順）
次に、コネクタ装置１を筐体７に取り付ける際の取付手順について説明する。
【００５１】
まず、筐体７の内部側に配置される雄コネクタ１２を取付孔７１０に取り付ける。その際、嵌合部４０３（図４参照）を取付孔７１０の内面７１０ａに接触させるようにして、雄コネクタ１２を取付孔７１０に挿入する。その後、第１機器側挿通孔１４０に組み付けられた第１機器側ボルト１４を第１機器側ねじ穴７０１に挿入して締め付ける。同様にして、第２機器側挿通孔１５０に組み付けられた第２機器側ボルト１５を第２機器側ねじ穴７０２に挿入して締め付ける。
【００５２】
次に、筐体７の外部側から雌コネクタ１１を取付孔７１０に取り付ける。これにより、第１雌端子３１と第１雄端子５１、及び第２雌端子３２と第２雄端子５２が電気的に接続される。ケーブル側挿通孔１３０に組み付けられたケーブル側ボルト１３をケーブル側ねじ穴７１１に挿入して締め付ける。以上の手順により、コネクタ装置１は、筐体７の取付部に取り付けられ、固定される。
【００５３】
（実施の形態の作用及び効果）
以上説明した実施の形態によれば、以下のような作用及び効果が得られる。
【００５４】
（１）筐体７の取付部７１において、第１機器側ねじ穴７０１、第２機器側ねじ穴７０２、及びケーブル側ねじ穴７１１は、雌コネクタ１１及び雄コネクタ１２の嵌合方向に直交する方向から見て少なくとも一部が重なっているため、第１機器側ボルト１４、第２機器側ボルト１５、及びケーブル側ボルト１３の全体として振動等の負荷を受けることになり、雌コネクタ１１及び雄コネクタ１２の筐体７の取付部７１からの脱落を抑制することが可能である。したがって、コネクタ装置１の筐体７への取り付けが確実となる。
【００５５】
（２）雌コネクタ１１は、１本のケーブル側ボルト１３によって固定されるため、必要なボルトの数を最小限に抑えることが可能となり、雌コネクタ１１の小型化につながる。
【００５６】
（３）仮想平面Ｉにおいて、ケーブル側ねじ穴７１１が、第１機器側ねじ穴７０１と第２機器側ねじ穴７０２との間の領域Ｔ内に交差しているため、コネクタ装置１のねじ穴の並び方向における寸法を小さくしながらも、コネクタ装置１の筐体７への取り付けを確実にすることが可能である。
【００５７】
（４）筐体７は、取付部７１がその周辺よりも肉厚に形成されているため、第１機器側ボルト１４、第２機器側ボルト１５、及びケーブル側ボルト１３が筐体７に対して深く挿入することができ、コネクタ装置１の筐体７への固定がより確実となる。
【００５８】
（５）雌コネクタ１１のフランジ部２１１（１１１）は、その外縁が、一対の斜辺Ｓ１，Ｓ２を有する丸みを帯びた五角形状に形成されている。これにより、余分な部材を減らし、小型化及び軽量化を図ることが可能である。雄コネクタ１２のフランジ部４０２についても、同様の効果を奏する。さらに、コストの低減にもつながる。
【００５９】
（実施の形態のまとめ）
次に、以上説明した実施の形態から把握される技術思想について、実施の形態における符号等を援用して記載する。ただし、以下の記載における各符号等は、特許請求の範囲における構成要素を実施の形態に具体的に示した部材等に限定するものではない。
【００６０】
［１］取付孔（７１０）が形成された取付部（７１）を有する筐体（７）と、前記筐体（７）の内部から取付部（７１）に挿入される第１ボルト（第１及び第２機器側ボルト１４，１５）によって固定される第１コネクタ（雄コネクタ１２）と、前記筐体（７）の外部から取付部（７１）に前記第１ボルト（第１及び第２機器側ボルト１４，１５）の挿入方向に平行な方向に挿入される第２ボルト（ケーブル側ボルト１３）によって固定される第２コネクタ（雌コネクタ１１）とを備え、前記取付部（７１）には、前記筐体（７）の内部側に開口（７０１ａ，７０２ａ）を有し、前記第１ボルト（第１及び第２機器側ボルト１４，１５）を挿入するための第１ねじ穴（第１及び第２機器側ねじ穴７０１，７０２）と、前記筐体の外部側に開口（７１１ａ）を有し、前記第２ボルト（ケーブル側ボルト１３）を挿入するための第２ねじ穴（ケーブル側ねじ穴７１１）とが形成され、前記取付部（７１）において、前記第１ねじ穴（第１及び第２機器側ねじ穴７０１，７０２）と第２ねじ穴（ケーブル側ねじ穴７１１）とは、前記第１ねじ穴（第１及び第２機器側ねじ穴７０１，７０２）及び前記第２ねじ穴（ケーブル側ねじ穴７１１）の並び方向に沿って前記第１コネクタ（雄コネクタ１２）及び前記第２コネクタ（雌コネクタ１１）の嵌合方向に直交する方向から見て少なくとも一部が重なっている、コネクタの取付構造。
【００６１】
［２］前記第２コネクタ（雌コネクタ１１）は、１本の前記第２ボルト（ケーブル側ボルト１３）によって固定され、前記取付部（７１）には、前記１本の第２ボルトが挿入される１つの前記第２ねじ穴（ケーブル側ねじ穴７１１）が形成されている、［１］に記載のコネクタの取付構造。
【００６２】
［３］前記第１コネクタ（雄コネクタ１２）は、複数の前記第１ボルト（第１及び第２機器側ボルト１４，１５）によって固定され、前記取付部（７１）には、前記複数の第１ボルト（第１及び第２機器側ボルト１４，１５）が挿入される複数の前記第１ねじ穴（第１及び第２機器側ねじ穴７０１，７０２）が形成され、前記複数の第１ねじ穴（第１及び第２機器側ねじ穴７０１，７０２）及び前記１つの第２ねじ穴（ケーブル側ねじ穴７１１）に交差して前記嵌合方向に直交する仮想平面（Ｉ）において、前記１つの第２ねじ穴（ケーブル側ねじ穴７１１）が、前記複数の第１ねじ穴（第１及び第２機器側ねじ穴７０１，７０２）の間の領域（Ｔ）内に交差する、［２］に記載のコネクタの取付構造。
【００６３】
［４］前記筐体（７）は、前記取付部（７１）がその周辺よりも肉厚に形成された、［１］乃至［３］の何れか１項に記載のコネクタの取付構造。
【００６４】
［５］筐体（７）に設けられた取付孔（７１０）に取り付けられるコネクタ装置（１）であって、複数の第１ボルト（第１及び第２機器側ボルト１４，１５）によって、前記取付孔（７１０）に前記筐体（７）の内部から固定された第１コネクタ（雄コネクタ１２）と、前記複数の第１ボルト（第１及び第２機器側ボルト１４，１５）の挿入方向に平行な方向に挿入される１本の第２ボルト（ケーブル側ボルト１３）によって、前記取付孔（７１０）に前記筐体（７）の外部から固定される第２コネクタ（雌コネクタ１１）とを備え、前記第１コネクタ（雄コネクタ１２）は、前記取付孔（７１０）の第１開口端面（７１０ｃ）に接触する第１接触面（４０２ａ）を有し、かつ前記複数の第１ボルト（第１及び第２機器側ボルト１４，１５）を挿通させる複数の第１挿通孔（第１及び第２機器側挿通孔１４０，１５０）が形成された第１フランジ部（４０２）を有し、前記第２コネクタ（雌コネクタ１１）は、前記取付孔（７１０）の第２開口端面（７１０ｂ）に接触する第２接触面（２１１ａ）を有し、かつ前記１本の第２ボルト（ケーブル側ボルト１３）を挿通させる１つの第２挿通孔（ケーブル側挿通孔１３０）が形成された第２フランジ部（２１１／１１１）を有し、前記１つの第２挿通孔（ケーブル側挿通孔１３０）は、前記第１及び第２コネクタ（雄コネクタ１２及び雌コネクタ１１）の嵌合方向から見て、前記複数の第１挿通孔（第１及び第２機器側挿通孔１４０，１５０）の間の領域（Ｔ）内に交差する、コネクタ装置（１）。
【００６５】
以上、本発明の実施の形態を説明したが、上記に記載した実施の形態は特許請求の範囲に係る発明を限定するものではない。また、実施の形態の中で説明した特徴の組合せの全てが発明の課題を解決するための手段に必須であるとは限らない点に留意すべきである。
【００６６】
上記実施の形態では、第１のケーブル６１及び第２のケーブル６２を備えていたが、これに限らず、ケーブルの本数に制限はない。
【００６７】
また、雌コネクタ１１のフランジ部２１１（１１１）の外縁及び雄コネクタ１２のフランジ部４０２の外縁は、丸みを帯びた五角形状を有していたが、これに限らず、例えば筐体７の取付孔７１０の開口端面７１ｂと同様の形状に形成されていてもよい。
【００６８】
また、雄コネクタ１２のフランジ部４０２の外縁の形状についても特に制限はなく、例えば矩形状でもよい。
【００６９】
また、上記実施の形態では、取付部７１は、その厚み（雌コネクタ１１及び雄コネクタ１２の嵌合方向の寸法）が壁部７０の厚みよりも厚く形成されていたが、これに限らず、例えば壁部７０が肉厚に形成されていてもよい。
【００７０】
また、上記実施の形態では、ケーブル側ねじ穴７１１は、領域Ｔ内に配置されていたが、これに限らず、ケーブル側ねじ穴７１１が領域Ｔ内に交差していればよい。
【００７１】
また、上記実施の形態では、雌コネクタ１１は１本のケーブル側ボルト１３で固定され、雄コネクタ１２は第１機器側ボルト１４及び第２機器側ボルト１５で固定されていたが、これに限らず、固定するボルトの数に特に制限はない。
【符号の説明】
【００７２】
１…コネクタ装置、７…筐体、８…基板、１１…雌コネクタ、１２…雄コネクタ、１３…ケーブル側ボルト、１４…第１機器側ボルト、１５…第２機器側ボルト、２０…雌側ハウジング、２１…第１ハウジング部材、２１ａ…第１嵌合穴、２１ｂ…第２嵌合穴、２２…第２ハウジング部材、２３…第３ハウジング部材、２４…第４ハウジング部材、２６…シール部材、３１…第１雌端子、３２…第２雌端子、４０…雄側ハウジング、５１…第１雄端子、５２…第２雄端子、６１…第１のケーブル、６２…第２のケーブル、７０…壁部、７１…取付部、７１ｂ…開口端面、１１０…本体部、１１１…フランジ部、１３０…ケーブル側挿通孔、１４０…第１機器側挿通孔、１４０ａ，１５０ａ…カラー、１５０…第２機器側挿通孔、２１０…嵌合部、２１０ａ…凹部、２１１…フランジ部、２１１ａ…接触面、２２１…端子保持部、２２２…鍔部、２２３…連結部、２３０…第１の挿通孔、２３１，２４１…基端部、２３２，２４２…先端部、２３３，２４３…フェルール、２４０…第２の挿通孔、２５１，２５２…チューブ、２５３，２５４…パッキン、３１１，３２１…本体部、３１２，３２２…加締部、４００…本体部、４０１…端子収容部、４０２…フランジ部、４０２ａ…接触面、４０３…嵌合部、４０３ａ…突起部、４０５…収容孔、４０５ａ…開口、５１１，５２１…接続部、５１２，５２２…連結部、５１３，５２３…リード部、６１０，６２０…導体、６１１，６２１…絶縁被覆、６１２，６２２…編組シールド、６１３，６２３…シース、７０１…第１機器側ねじ穴、７０１ａ…開口、７０２…第２機器側ねじ穴、７０２ａ…開口、７１０…取付孔、７１０ａ…内面、７１０ｂ，７１０ｃ…開口端面、７１１…ケーブル側ねじ穴、７１１ａ…開口、Ｃ１，Ｃ２…円弧、Ｃ３，Ｃ７…斜辺、Ｃ４，Ｃ６…対辺、Ｃ５…底辺、Ｉ…仮想平面、Ｓ１，Ｓ２…斜辺、Ｓ３，Ｓ５…対辺、Ｓ４…底辺、Ｔ…領域
【図１Ａ】
2014154256.tif 000003
【図１Ｂ】
2014154256.tif 000004
【図２】
2014154256.tif 000005
【図３】
2014154256.tif 000006
【図４】
2014154256.tif 000007
【図５】
2014154256.tif 000008
【図６】
2014154256.tif 000009